(57)【要約】【課題】昇降足場を所望の位置に正確に昇降停止させることができ、かつ昇降足場を塔状構造物の高さ方向に案内するガイドローラーの機能低下を防止した、安定かつ安全な塔状構造物補修用昇降足場装置を提供する。【解決手段】煙突１１を補修するときに使用される昇降足場装置は、煙突１１の外周に配設された複数の昇降足場１２と、昇降足場１２を煙突１１の高さ方向に案内する複数のガイドローラー２４と、煙突１１の頂部に設けられたロッド吊架台と、このロッド吊架台から吊り下げられた複数本のステップロッド１３と、ステップロッド１３を介して昇降足場１２を昇降駆動する複数のアップダウンジャッキ１９とを備えている。さらに、昇降足場１２を煙突１１の外壁側に引き寄せてガイドローラー２４を煙突１１の外壁面に押し付けるローラー押付機構２５を備えている。【選択図】図４
2005213870.tif 000002
【特許請求の範囲】
【請求項１】
塔状構造物の外壁を補修するときに使用されるものであって、前記塔状構造物の外周に配設された複数の昇降足場と、これらの昇降足場のうち隣接する２つの昇降足場間に配設されたスライド床板と、前記昇降足場を前記塔状構造物の高さ方向に案内する複数のガイドローラーと、複数本のステップロッドと、これらのステップロッドを介して前記昇降足場を昇降駆動する複数のアップダウンジャッキと、前記昇降足場を前記塔状構造物の外壁側に引き寄せて前記ガイドローラーを前記塔状構造物の外壁面に押し付けるローラー押付機構と、を備えて構成されることを特徴とする塔状構造物補修用昇降足場装置。
【請求項２】
前記ステップロッドは、前記塔状構造物の頂部に設けられたロッド保持架台から吊り下げられていることを特徴とする請求項１記載の塔状構造物補修用昇降足場装置。
【請求項３】
前記ステップロッドは、前記塔状構造物の地上側に設けられたロッド保持架台から立ち上げられていることを特徴とする請求項１記載の塔状構造物補修用昇降足場装置。
【請求項４】
前記ローラー押付機構は、前記塔状構造物の外周に設けられたワイヤと、このワイヤを介して前記昇降足場を前記塔状構造物の外壁側に引き寄せるワイヤ締付け手段とから構成されることを特徴とする請求項１〜３のいずれかに記載の塔状構造物補修用昇降足場装置。
【発明の詳細な説明】
【技術分野】
【０００１】
本発明は、塔状構造物補修用昇降足場装置に関する。
【背景技術】
【０００２】
煙突等の塔状構造物を補修するときに使用される昇降足場装置として、塔状構造物の外周に配設された複数台の昇降足場と、これらの昇降足場を塔状構造物の高さ方向に案内する複数のガイドローラーとを備えて構成されるものがある。このような昇降足場装置は塔状構造物の補修作業を比較的短期間で行うことができるが、昇降足場を昇降駆動する方式として、例えば特許文献１に示されるようなワイヤロープ方式を採用した場合にはワイヤロープに伸びが生じ、昇降足場を所望の位置に正確に昇降停止させることが困難となる。そこで、昇降足場を昇降駆動する手段として、特許文献２に示されるようなステップロッドとアップダウンジャッキを用いることが検討されている。
【特許文献１】特開平６−２６１９０号公報
【特許文献２】特開平８−４３３４号公報
【発明の開示】
【発明が解決しようとする課題】
【０００３】
しかしながら、煙突等の塔状構造物は、通常、その外径が頂部に向かって次第に縮径されているため、ステップロッドとアップダウンジャッキを用いて昇降足場を昇降駆動した場合にはガイドローラーが塔状構造物の外壁面から離れてしまい、その結果、足場と煙突間に大きな隙間が生じる他、昇降足場が不安定になる等、安全上の問題が発生していた。
本発明は、このような問題点に着目してなされたもので、昇降足場を所望の位置に正確に昇降停止させることができ、かつ昇降足場を塔状構造物の高さ方向に案内するガイドローラーを用いて安定かつ安全な塔状構造物補修用昇降足場装置を提供することを目的とする。
【課題を解決するための手段】
【０００４】
上記の目的を達成するために、本発明に係る塔状構造物補修用昇降足場装置は、塔状構造物の外周に配設された複数の昇降足場と、これらの昇降足場のうち隣接する２つの昇降足場間に配設されたスライド床板と、前記昇降足場を前記塔状構造物の高さ方向に案内する複数のガイドローラーと、複数本のステップロッドと、これらのステップロッドを介して前記昇降足場を昇降駆動する複数のアップダウンジャッキと、前記昇降足場を前記塔状構造物の外壁側に引き寄せて前記ガイドローラーを前記塔状構造物の外壁面に押し付けるローラー押付機構と、を備えて構成されることを特徴とする。
【０００５】
本発明に係る塔状構造物補修用昇降足場装置において、前記ステップロッドは塔状構造物の頂部に設けられたロッド保持架台から吊り下げられるのが通常であるが、塔状構造物頂部の損傷や劣化などにより塔状構造物の頂部にロッド保持架台を取り付けることができない場合には、塔状構造物の地上側に設けられたロッド保持架台からステップロッドを立ち上げてもよい。また、前記ローラー押付機構は、塔状構造物の外周に設けられたワイヤと、このワイヤを介して昇降足場を塔状構造物の外壁側に引き寄せるワイヤ締付け手段とから構成されるものであってもよい。
【発明の効果】
【０００６】
本発明に係る塔状構造物補修用昇降足場装置によれば、塔状構造物の頂部に設けられたロッド保持架台と、このロッド保持架台から吊り下げられた複数本のステップロッド、あるいは塔状構造物の頂部まで損傷・劣化が生じている時、塔状構造物の地上側に配置したロッド保持架台から立ち上げられた複数本のステップロッドと、これらのステップロッドを介して昇降足場を昇降駆動する複数のアップダウンジャッキとを備えたことにより、ワイヤロープを使用しなくても昇降足場を昇降させることができ、さらに塔状構造物の頂部が損傷・劣化していても昇降足場を昇降させることができるので、昇降足場を所望の位置に正確に昇降停止させることができる。また、昇降足場を塔状構造物の外壁側に引き寄せてガイドローラーを塔状構造物の外壁面に押し付けるローラー押付機構を備えたことにより、ガイドローラーが煙突の外壁面から離れることがなく、昇降足場は、塔状構造物の外壁面に押し付けられた状態で、かつ隣接する昇降足場間に配設されるスライド床板で作業床を形成できるため、塔状構造物の外壁側と昇降足場間の隙間発生を少なくした、安定かつ安全な塔状構造物補修用昇降足場装置とすることができる。
【発明を実施するための最良の形態】
【０００７】
以下、本発明の実施の形態を図面に基づいて説明する。
図１は本発明の一実施形態に係る塔状構造物補修用昇降足場装置の概略構成図で、図２は図１のII−II断面図である。この実施形態では、煙突の頂部が健全な例で説明する。図１及び図２において、符号１１は補修対象物である煙突を示しており、この煙突１１の外周には、複数台（本実施形態では４台）の昇降足場１２（図２参照）が煙突１１を取り囲むように配設されている。また、隣り合う２つの昇降足場１２間にはスライド床板２０が配設されていると共に複数本（本実施形態では４本）のステップロッド１３が煙突１１の周方向に等間隔で設けられている。これらのステップロッド１３は煙突１１の頂部に設けられたロッド保持架台１４から吊り下げられており、ロッド保持架台１４には、ステップロッド１３の上端部を吊持する複数のイコライザー１５（図３参照）が設置されている。
【０００８】
昇降足場１２は、本例では上部と下部の面を作業床とするために、上部固定床１６及び下部固定床１７（図４参照）を有しており、これらの固定床１６，１７のうち上部固定床１６には、ステップロッド１３をガイドするガイド管１８が取り付けられているとともに、ステップロッド１３を介して昇降足場１２を昇降駆動するアップダウンジャッキ１９が取り付けられている。
また、昇降足場１２は固定床１６，１７に対してスライド自在な上部スライド床板２０及び下部スライド床板２１（図５参照）を有しており、これらのスライド床板２０，２１は隣接する昇降足場１２に掛け渡されて配設されている。なお、上部スライド床板２０及び下部スライド床板２１には昇降足場１２からの脱落を防止するためのストッパ２２（図６参照）が設けられている。
【０００９】
昇降足場１２の上部固定床１６及び下部固定床１７には、図４に示すように、転落防止用の手摺２３が設けられている。上述した構成により、上部の作業床は、固定床１６と上部スライド床板２０と転落防止用の手摺２３とで形成され、下部の作業床は、固定床１７と下部スライド床板２１と転落防止用の手摺２３とで形成される安全な作業床となる。なお、作業床を上部と下部の面に配設して上部作業床、下部作業床の両面で作業を可能として、煙突１１の外壁補修効率を上げる構造としているが、作業床が一面で十分な時は、固定床１６，１７のいずれか一方の固定床からなる構成とすることができる。さらに、昇降足場１２には、昇降足場１２を煙突１１の高さ方向に案内するガイドローラー２４が二個ずつ取り付けられている。これらのガイドローラー２４は、図４及び図７に示すように、煙突１１の外周に設けられたワイヤ２７と、このワイヤ２７を介して昇降足場１２を煙突１１の外壁側に引き寄せるワイヤ締付け手段としてのチェーンブロック２８とからなるローラー押付機構２５により煙突１１の外壁面に押し付けられており、各昇降足場１２の上部固定床１６には、ローラー押付機構２５のワイヤ２７を水平に支持するワイヤサポート２６（図４参照）が設けられている。
【００１０】
このように構成される本発明の一実施形態では、煙突１１の頂部に設けられたロッド吊架台１４と、このロッド吊架台１４から吊り下げられた複数本のステップロッド１３と、これらのステップロッド１３を介して昇降足場１２を昇降駆動する複数のアップダウンジャッキ１９とを備えたことにより、ワイヤロープを使用しなくても昇降足場１２を昇降させることができるので、昇降足場１２を所望の位置に正確に昇降停止させることができる。また、昇降足場１２を煙突１１の外壁側に引き寄せてガイドローラー２４を煙突１１の外壁面に押し付けるローラー押付機構２５を備えたことにより、ガイドローラー２４が煙突１１の外壁面から離れることがないので、昇降足場１２を煙突１１の高さ方向に案内できる安定かつ安全な塔状構造物補修用昇降足場装置とすることができる。
【００１１】
また、図８は、塔状構造物である煙突１１の頂部損傷・劣化が進み、煙突１１の頂部にロッド保持架台１４を設けることができないときのステップロッドの設置例を示したもので、地上側に設けられたロッド保持架台２９と、このロッド保持架台２９から立ち上げられた複数本のステップロッド１３で昇降足場１２を昇降駆動すればよく、このように地上側に設けられたロッド保持架台２９からステップロッド１３を立ち上げることによって、頂部の損傷や劣化が激しい煙突１１であっても安定かつ安全な塔状構造物補修用昇降足場装置とすることができる。
なお、本発明は上述した一実施形態に限定されるものではなく、本発明の要旨を逸脱しない範囲で種々の変更が実施可能である。
【図面の簡単な説明】
【００１２】
【図１】本発明の一実施形態に係る塔状構造物補修用昇降足場装置の概略構成図である。
【図２】図１のII−II断面図である。
【図３】図１に示すロッド吊架台の側面図である。
【図４】図２のIV−IV断面図である。
【図５】図２のV−V断面図である。
【図６】図５に示すスライド床板の平面図である。
【図７】図４のVII−VII断面図である。
【図８】本発明の他の実施形態を示す図である。
【符号の説明】
【００１３】
１１  煙突
１２  昇降足場
１３  ステップロッド
１４  ロッド保持架台
１５  イコライザー
１６  上部固定床
１７  下部固定床
１８  ガイド管
１９  アップダウンジャッキ
２０  上部スライド床板
２１  下部スライド床板
２２  ストッパ
２３  手摺
２４  ガイドローラー
２５  ローラー押付機構
２６  ワイヤサポート
２７  ワイヤ
２８  チェーンブロック（ワイヤ締付け手段）
２９  ロッド保持架台
【図１】
2005213870.tif 000003
【図２】
2005213870.tif 000004
【図３】
2005213870.tif 000005
【図４】
2005213870.tif 000006
【図５】
2005213870.tif 000007
【図６】
2005213870.tif 000008
【図７】
2005213870.tif 000009
【図８】
2005213870.tif 000010